(57)【要約】      （修正有）【課題】空調部屋と非空調部屋との間に連通口を設けることで、空調設備を設置することなく、窓も空調設備もない非空調部屋の空調や換気を行うことができる建物用換気構造を提供する。【解決手段】空調設備１による空調が行われる空調部屋２と、空調部屋２と隣接するとともに、空調設備１及び換気設備がない又は空調及び換気を行わない非空調部屋３とを隔てる床４に、空調部屋２と非空調部屋３とを連通する２個の連通口５、６を開口し、この連通口６に、空調部屋２の空調された空気を非空調部屋３に送風する送風機７を設置した。【選択図】図１
0003169020.tif 000002
【実用新案登録請求の範囲】
【請求項１】
空調設備が設置されて該空調設備による空調が行われる空調部屋と、該空調部屋と隣接するとともに、前記空調設備及び換気設備がない又は空調及び換気を行わない非空調部屋とを隔てる隔壁に、前記空調部屋と前記非空調部屋とを連通する複数の連通口を開口し、該複数の連通口の内、少なくとも一つの連通口に、前記空調部屋の空調された空気を前記非空調部屋に送風する送風機を設置したことを特徴とする建物用換気構造。
【請求項２】
空調設備が設置されて該空調設備による空調が行われる空調部屋と、該空調部屋と隣接するとともに、前記空調設備及び換気設備がない又は空調及び換気を行わない非空調部屋とを隔てる隔壁に、前記空調部屋と前記非空調部屋とを連通する複数の連通口を開口し、該複数の連通口の内、少なくとも一つの連通口に、前記非空調部屋の空調された空気を前記空調部屋に送風する送風機を設置したことを特徴とする建物用換気構造。
【請求項３】
前記送風機が設置された連通口と該連通口以外の連通口とが、互いに最も離間した位置となるように開口されていることを特徴とする請求項１又は２記載の建物用換気構造。
【請求項４】
前記空調部屋と前記非空調部屋とが上下に隣接するものであって、少なくとも、前記非空調部屋が地下に設置されていることを特徴とする請求項１乃至２何れか１項記載の建物用換気構造。
【考案の詳細な説明】
【技術分野】
【０００１】
本考案は、建物内で区画された部屋同士の換気を行う建物用換気構造に関する。
【背景技術】
【０００２】
建物内で区画された各部屋における空調は、部屋の使用状況に応じて使用される。例えば、人が生活や仕事等で使用する居住部屋は、エアコンディショナー等の空調設備によって、ほぼ一定の温度や湿度となるようにされるが、物置部屋においては、常に人が居ることがなく、物を出し入れするときにのみ人が出入りするため、省エネルギーという観点から空調設備を使用しない、或いは空調設備を設置していないのが通常である。
【考案の概要】
【考案が解決しようとする課題】
【０００３】
そのため、物置部屋に対する湿気による悪影響を防止することから、空調設備を設置している場合に、定期的に空調設備を使用して湿気を低減するようにし、空調設備が設置されていない場合には、窓を開けることや換気扇を使用することで湿気を低減するようにしている。
【０００４】
しかしながら、物置部屋が地下にあって窓も換気扇もなく、しかも、空調設備が設置されていないような場合、換気も空調もできないため、湿気を低減することができない。そのため、物置部屋が、湿気によるカビの発生、湿気やカビ等による収納物への悪影響や悪臭等の発生し易い環境になっていた。
【０００５】
本考案は、このような問題に対処することを課題とするものである。すなわち、空調設備を設置することなく、窓及び換気扇、更には空調設備もない部屋の空調や換気を行えるようにできることが本考案の目的である。
【０００６】
尚、本考案に関連する先行技術文献のうち、出願人が当該実用新案登録出願時に知っているものがないので、開示すべき先行技術文献情報はない。
【課題を解決するための手段】
【０００７】
前記目的を達成するため、本考案に係る建物用換気構造は、次の構成を少なくとも具備する。
【０００８】
空調設備が設置されて該空調設備による空調が行われる空調部屋と、該空調部屋と隣接するとともに、前記空調設備及び換気設備がない又は空調及び換気を行わない非空調部屋とを隔てる隔壁に、前記空調部屋と前記非空調部屋とを連通する複数の連通口を開口し、該複数の連通口の内、少なくとも一つの連通口に、前記空調部屋の空調された空気を前記非空調部屋に送風する送風機を設置したことを特徴とする。
【０００９】
空調設備が設置されて該空調設備による空調が行われる空調部屋と、該空調部屋と隣接するとともに、前記空調設備及び換気設備がない又は空調及び換気を行わない非空調部屋とを隔てる隔壁に、前記空調部屋と前記非空調部屋とを連通する複数の連通口を開口し、該複数の連通口の内、少なくとも一つの連通口に、前記非空調部屋の空調された空気を前記空調部屋に送風する送風機を設置したことを特徴とする。
【００１０】
前記送風機が設置された連通口と該連通口以外の連通口とが、互いに最も離間した位置となるように開口されていることを特徴とする。
【００１１】
前記空調部屋と前記非空調部屋とが上下に隣接するものであって、少なくとも、前記非空調部屋が地下に設置されていることを特徴とする。
【考案の効果】
【００１２】
このような特徴を有することで本考案は、以下の効果を奏する。すなわち、送風機によって、空調部屋と非空調部屋の間で空気を循環させるようにしているので、空調設備や換気設備を設置することなく、非空調部屋の空調及び換気を行えるようにできる。
【図面の簡単な説明】
【００１３】
【図１】本考案の建物用換気構造を実施した建物の概略側面図。
【図２】図１の（２）−（２）線断面図。
【考案を実施するための形態】
【００１４】
以下、本考案に係る実施形態の建物用換気構造を図面に基づいて説明する。図１及び図２は、建物用換気構造を実施した建物Ａの概略構成図である。
【００１５】
建物Ａは、地上１階、地下１階の構造であり、地上のフロアに空調設備１が備えられた空調部屋２を設け、地下のフロアに空調設備及び換気設備がない非空調部屋３を設けたものである。この空調部屋２と非空調部屋３を上下で隔てる床４（隔壁）に、空調部屋２と非空調部屋３の間で空気を循環させながら換気する建物用換気構造が設けられている。
【００１６】
前述の建物用換気構造は、床４に開口された２個の連通口５、６と、連通口５に配された送風機７とを備えている。
【００１７】
連通口５は、図１、図２に示すように、空調設備１に最も近い位置で、且つ空調部屋２のコーナー付近に開口されている。連通口６は、図２に示すように、連通口５から最も離間する位置となるように、連通口５の対角となるコーナー付近に開口されている。
【００１８】
すなわち、連通口５と連通口６とを互いに最も離間する位置となるように開口したため、換気を行う際に、空調部屋２と非空調部屋３の隅から隅へ、部屋全体に空気を流すことができ、効率よく空調部屋２と非空調部屋３の換気を行うことができる。
【００１９】
連通口５、６には、夫々、フィルター５０、６０が着脱自在に取付けられており、循環する空気に含まれるホコリ、チリ、花粉、虫の死骸等をフィルター５０、６０で吸着することで、空気を浄化するようになっている。
【００２０】
また、連通口５、６は、開閉シャッター５１、６１によって、空調部屋２と非空調部屋３を連通状態と非連通状態とに切り替え可能になっており、空気の換気をするときのみ連通状態にすることができるようになっている。
【００２１】
送風機７は、空調部屋２の空調された空気を吸気して非空調部屋３に送り込む機能を備えたものであり、ＯＮ／ＯＦＦスイッチ（図示せず）によって、運転／停止操作されるようになっている。
【００２２】
前述のＯＮ／ＯＦＦスイッチは、開閉シャッター５１、６１を開閉するスイッチを兼用してもよい。すなわち、送風機７に対する運転操作（ＯＮ）をすると開閉シャッター５１、６１が開き、送風機７に対する停止操作（ＯＦＦ）をすると開閉シャッター５１、６１が閉じるようにすることができる。
【００２３】
また、送風機７及び開閉シャッター５１、６１を動作させる他の構成として、非空調部屋３の湿度が一定以上となったことを検出したときに、送風機７の運転を自動的に開始させるとともに、開閉シャッター５１、６１を自動的に開くように制御し、非空調部屋３の湿度が一定未満となったことを検出したときに、送風機７の運転を自動的に停止させるとともに、開閉シャッター５１、６１を自動的に閉じるように制御するようにした構成が挙げられる（図示せず）。
【００２４】
この送風機７によると、空調部屋２の空気を吸気するときに、空気の流れが連通口６から連通口５に向かう方向の流れとなるため、連通口６付近が負圧となり、非空調部屋３の空気を空調部屋２に引き込むことができる。
【００２５】
また、送風機７が非空調部屋３に空気を送り込むときの勢いで、非空調部屋３の空気の流れを連通口５から連通口６に向かう流れとし、この空気を連通口６から空調部屋２に送り込むことができる。
【００２６】
すなわち、送風機７によって空調部屋２の空調された空気を吸気して非空調部屋３に送り込むことによって、空調部屋２と非空調部屋３の間で空気を循環させることができ、この空気の循環によって非空調部屋３を換気しながら空調することができる。尚、空気の流れは、矢印によって示した。
【００２７】
以上のような構成の建物用換気構造によると、空調部屋２の空調された空気で非空調部屋３を空調するようにしているので、一つの空調設備１で空調部屋２と非空調部屋３の二つの部屋を空調することができる。したがって、空調設備１を動かすための燃料使用量や電力使用量を増やさずに、非空調部屋３の空調をすることができるため、節電や省エネルギーに貢献することができる。
【００２８】
尚、本考案は、例示した実施の形態に限定するものではなく、実用新案登録請求の範囲の各項に記載された内容から逸脱しない範囲の構成による実施が可能である。
【００２９】
例示した建物用換気構造は、送風機７が空調部屋２の空調された空気を非空調部屋３に送り込むようにした構成としたが、本考案は、送風機７が非空調部屋３の空調されていない空気を空調部屋２に送り込むことで、空調部屋２と非空調部屋３の間で空気を循環させるようにしてもよい（図示せず）。
【００３０】
また、連通口５、６の個数は、例示した２個に限らず、３個以上としてもよく、この３個以上の連通口の少なくとも一つに送風機７を配する（図示せず）。
【００３１】
また、地上１階、地下１階とした建物Ａに限らず、地上２階以上とする建物Ａとし、空調部屋２を設けたフロアの直下又は直上のフロアに非空調部屋３を設けたものとしてもよい（図示せず）。
【００３２】
また、空調部屋２と非空調部屋３が床（隔壁）４によって上下で隔てられた構成に限らず、空調部屋２と非空調部屋３を同じフロアで側壁（隔壁）によって隔てた構成としてもよい（図示せず）。
【符号の説明】
【００３３】
１：空調設備  ２：空調部屋  ３：非空調部屋  ４：床（隔壁）  ５：連通口
６：連通口  ７：送風機
【図１】
0003169020.tif 000003
【図２】
0003169020.tif 000004